(57)【要約】【課題】施工が容易で且つ時間と労力を省きスピーディに組み立てるガラスドアの上下ヒンジ構造を提供する。【解決手段】ガラスドアの上下ヒンジ構造は、上ヒンジ、両定位部品と下ヒンジを含む。そのうち上、下ヒンジは各々固定台と回転盤を具え、それらの部品から構成され、施工が容易で、時間と労力を省き、スピーディに組み立てる。更に組立後ガラスドアが未開放状態もしくは内向き、外向きに予定角度まで回転し、安定した定位効果を具える。他に下ヒンジの固定台はベアリングを設置するので、ガラスドアの回転が安定してスムーズである。【選択図】図１
0003140814.tif 000002
【実用新案登録請求の範囲】
【請求項１】
上ヒンジ、下ヒンジ、両定位部品から構成されたガラスドアの上下ヒンジ構造において、
固定台と回転盤を具え、そのうち固定台は複数の定位孔を具えてロック部品で壁面等適する部位と固定連結し、その固定台は枢設槽を具え、回転盤にも枢設槽を具え、且つその枢設槽は内側に内径が小さい部位、及び内径が小さい部位が続いて外向きに伸びて内径が徐々に大きくなる錐形状槽を具える上ヒンジと、 
固定台と回転盤を具え、そのうち固定台は上向きに突出した環形塊を具え、その環形塊の中間には枢設槽を設置し、環形塊には環形槽孔を設置してそこにベアリングを設置し、固定台の環形塊の下周辺縁の連接した環形部は地面と連結する複数の定位孔を設置し、且つその固定台の環形部には更に内ネジ孔を設置してそこに外ネジ紋を具えた弾性定位柱を固定し、その弾性定位柱は内槽孔を具えてそこにバネと球体を設置し、その球体の上方は内槽孔の上端から伸び出て、その内槽孔の上端の口径は球体の直径よりやや小さいため球体が落ちるのを防止し、更に回転盤には枢設槽を具え、且つその枢設槽の内側は内径が小さい部位とし、その内径が小さい部位は外向きに伸びて内径が徐々に大きくなる錐形状槽を形成し、回転盤は環形凹槽及び環形凹槽の外周囲に位置する環形部を具え、その環形部には湾曲溝槽が設置されてそこに前述の弾性定位柱の上方を入れ、その湾曲溝槽には複数個の定位凹部を具えてそこに弾性定位柱を設置した球体の上方を対応させ、そのうちのひとつを選択して掛合し定位する下ヒンジと、
各々枢設軸を具え、それぞれに上、下ヒンジの回転盤の枢設槽に差し込み、上、下ヒンジの固定台の枢設槽と枢設し、また両定位部品は複数のロック部品でガラスドアの一側の上、下の適する部位と固定連結し、且つ前述の枢設軸は環形凹溝を具え、環形凹溝に欠切槽を具えた弾性部品を嵌合し、両定位部品の側辺は別に定位孔を設置し、ロック部品の連接部でガラスドアの後と各定位部品を差し込んで連結固定し、且つロック部品の連接部はネジ桿部とし、また両定位部品側辺の定位孔は内ネジ孔とし、別に両定位部品の側辺はロック部品でガラスドアと固定した時、更にロック部品とガラスドアの間にパッドを設置し、ガラスドアと各定位部品の間もまたパッドを設置し、且つガラスドアはロック部品の連接部で差し込んだ穿孔にも内パッドを設置し、この両定位部品はそれぞれその一側に平面部を具え、ガラスドアとしっかり固定連結するのに便利である両定位部品を含むことを特徴とするガラスドアの上下ヒンジ構造。
【請求項２】
前記両定位部品は、各々一側に円柱部を具え、且つ円柱部には内ネジ孔を設置し、更にガラスドアとの間には複数の連接塊を設置し、各連接塊は定位孔を具え、ロック部品の連接部をガラスドアの穿孔に差し込み、連接塊の定位孔に差し込むと、両定位部品上方と下方の連接部内で鎖錠され、固定連結することを特徴とする請求項１記載のガラスドアの上下ヒンジ構造。
【請求項３】
上ヒンジ、下ヒンジ、両定位部品を具えるガラスドアの上下ヒンジ構造において、そのうち、
固定台と回転盤を具え、そのうち固定台は複数の定位孔を具えてロック部品で壁面等適する部位と固定連結し、その固定台は枢設槽を具え、その枢設槽は内側に内径が小さい部位、及び内径が小さい部位が続いて外向きに伸びて内径が徐々に大きくなる錐形状槽を具え、回転盤は枢設軸を具えて固定台の枢設槽と枢設し、その回転盤には別に定位孔を備えて定位部品と連結し、更に上ヒンジの回転盤の枢設軸は環形凹溝を具えてその環形凹溝に欠切槽を備えた弾性部品を嵌合する上ヒンジと、 
固定台と回転盤を具え、そのうち固定台は上向きに突出した環形塊を具え、その環形塊の中間には枢設槽を設置し、その枢設槽の内側は内径が小さい部位及び外向きに伸びてその内径が徐々に大きくなる錐形状槽を形成し、環形塊には環形槽孔を設置してそこにベアリングを設置し、固定台の環形塊の下周辺縁の連接した環形部は地面と連結する複数の定位孔を設置し、且つその固定台の環形部には更に内ネジ孔を設置してそこに外ネジ紋を具えた弾性定位柱を固定し、その弾性定位柱は内槽孔を具えてそこにバネと球体を設置し、その球体の上方は内槽孔の上端から伸び出て、その内槽孔の上端の口径は球体の直径よりやや小さいため球体が落ちるのを防止し、更にそのうち回転盤には枢設槽を具え、その枢設軸は環形凹溝を具えて欠切槽を具えた弾性部品に嵌合し、枢設軸で前述の固定台の枢設槽と枢設し、回転盤は別に複数の定位孔を具え、別の定位部品と連結し、且つその回転盤は環形凹槽を具え環形凹槽の外周囲に環形部を形成し、その環形凹槽は前述の固定台の環形塊に枢設し、その回転盤の環形部には湾曲溝槽が設置されてそこに前述の固定台に設置した弾性定位柱の上方を入れ、その湾曲溝槽には複数個の定位凹部を具えてそこに前述の弾性定位柱を設置した球体の上方を対応させ、そのうちのひとつを選択して掛合し定位する下ヒンジと、
各々一側に定位孔を設置してロック部品で上、下ヒンジの回転盤の定位孔と固定連結し、また別一側にはそれぞれ定位孔を具えた定位塊を設置し、ガラスドアの穿孔に挿入して定位孔を具えた挟持塊と共に複数のロック部品でガラスドアの一側の上、下の適する部位に固定連結する両定位部品を含むことを特徴とするガラスドアの上下ヒンジ構造。
【考案の詳細な説明】
【技術分野】
【０００１】
本考案は、ガラスドアの上下ヒンジ構造に関するもので、施工が簡単でスピーディに組立もしくは取り外しができ、手間と時間を節約し、且つそのガラスドアが閉じた状態もしくは内向き、向外向きに予定角度まで回転して開いた時、安定した定位効果を具える。
【背景技術】
【０００２】
公知のガラスドア取付ユニットの施工は通常上、下固定台をそれぞれ壁面、地面に固定設置した後、作業者が重いガラスドア全体を設置位置近くに運び、次にゆっくりと上、下を上、下固定台の枢設槽に合わせる。
【特許文献１】実開平５−７５３９０号公報
【考案の開示】
【考案が解決しようとする課題】
【０００３】
解決しようとする問題点は、このユニットを合わせる作業が困難で、またガラスドアは重いため、作業に困難と不便をもたらしている。更にガラスドアを取り外す時には同様に面倒で、且つガラスドアの回転もスムーズでない。この他、ガラスドアを内向き、外向きに回転して開くと、定位効果に欠けるため、操作が不便なだけでなく、強風が吹くと揺れやすい点である。
【課題を解決するための手段】
【０００４】
本考案は、上ヒンジ、両定位部品と下ヒンジを含む。そのうち上、下ヒンジは各々固定台と回転盤を具え、それらの部品から構成され、施工が容易で、時間と労力を省き、スピーディに組み立てる。更に組立後ガラスドアが未開放状態もしくは内向き、外向きに予定角度まで回転し、安定した定位効果を具える。他に下ヒンジの固定台はベアリングを設置するので、ガラスドアの回転が安定してスムーズであることを最も主要な特徴とする。
【考案の効果】
【０００５】
本考案のガラスドアの上下ヒンジ構造は、下述の利点がある。
１.施工が容易で、時間と労力が省け、スピーディに組み立てることができ、且つ取り外しも容易である。
２.下ヒンジ３の固定台３１はベアリング３１３２を設置するため、相対してガラスドア６の回転が安定してスムーズである。
３.下ヒンジ３の固定台３１の環形塊３１３は回転盤３２の環形凹槽３２３を枢設するため、相対して防水効果に優れる。
４.ユニット結構は安定し、且つ組立が容易であるため、労力と時間を省き、コストを下げて競争力を高める。 
５.下ヒンジ３の固定台３１は、更に弾性定位柱３１５を設置し、その弾性定位柱３１５の上方３１５３は回転盤３２の湾曲溝槽３２４１内に入り、弾性定位柱３１５上方の突出した球体３１６から湾曲溝槽３２４１の複数の定位凹部３２４２、 ３２４３、３２４４のうちの一つを選択して掛合し、回転盤３２を内向きもしくは外向きに予定角度まで開き、安定した定位効果を具え、強風でガラスドア６が揺れるのを防ぐ。 
【考案を実施するための最良の形態】
【０００６】
本考案は、前述の欠点を改善するため、一種のガラスドアの上下ヒンジ構造を提案する。
【０００７】
一種のガラスドアの上下ヒンジ構造を提供し、施工が容易で且つ時間と労力を省きスピーディに組み立てることを本考案の主な目的とする。
【０００８】
一種のガラスドアの上下ヒンジ構造を提供し、ガラスドアが未開放状態もしくは内向き、外向きに予定角度まで回転した時、安定した定位効果を具えることを本考案の次の目的とする。
【０００９】
一種のガラスドアの上下ヒンジ構造を提供し、その下ヒンジの固定台はベアリングを設置することにより、相対してガラスドアの回転が安定してスムーズであることを本考案の更に次の目的とする。
【００１０】
一種のガラスドアの上下ヒンジ構造を提供し、その下ヒンジの固定台の環形塊は回転盤の環形凹槽に枢設することにより、相対して良好な防水效果を具えることを本考案の更に次の目的とする。
【００１１】
一種のガラスドアの上下ヒンジ構造を提供し、そのユニット結構は安定して且つ組立が容易であり、労力と時間を省き、コストを下げて競争力を高めることを本考案の別の目的とする。
【実施例１】
【００１２】
図１〜図９に示すのは、本考案の一種ガラスドアの上下ヒンジ構造であり、以下を含む。
【００１３】
上ヒンジ１は、固定台１１と回転盤１２を具え、そのうち固定台１１は複数の定位孔１１１を具え、ロック部品４で壁面（図未提示）等適する部位に固定して連結する。その固定台１１はまた枢設槽１１２を具え、回転盤１２にも枢設槽１２１を具える。
【００１４】
下ヒンジ３は、固定台３１と回転盤３２を具え、そのうち固定台３１は上向きに突出した一環形塊３１３を具え、その環形塊３１３の中間には枢設槽３１２が成形される。更にその環形塊３１３には環形槽孔３１３１も設置されてそこにベアリング３１３２を差し込んで設置する。また固定台３１の環形塊３１３の下周辺縁に連接した環形部３１４には複数の定位孔３１４１を設置してそこで地面と連結し、固定台３１の環形塊３１３を合わせる。回転盤３２は環形凹槽３２３(図三参照)を具えて環形凹槽３２３の外周囲に環形部３２４を形成する。またその環形凹槽３２３を固定台３１の環形塊３１３に枢設し、回転盤３２を環形凹槽３２３で固定台３１に枢設し、且つ回転盤３２の環形部３２４の下端面と固定台３１の環形部３１４の上端面の間に隙間を形成する。また下ヒンジ３の固定台３１の環形塊３１３は回転盤３２の環形凹槽３２３に入れて枢設するため、良好な防水效果を具える。その他、回転盤３２には別に一枢設槽３２１を設置する。両定位部品２は、それぞれ枢設軸２１を具え、各々上、下ヒンジ１、３の回転盤１２、３２の枢設槽１２１、３２１に挿入し、上、下ヒンジ１、３の固定台１１、３１の枢設槽１１２、３１２にも枢設する。また両定位部品２は、それぞれ複数のロック部品５でガラスドア６(参考図四)の一側的上、下の適する部位に固定連結する。
【００１５】
更に前述の両定位部品２の枢設軸２１は、各々環形凹溝２１１を具え、その環形凹溝２１１に欠切槽を具えた弾性部品８に掛合する。他に図四、図五に示すとおり、前述の上ヒンジ１の固定台１１の枢設槽１１２は内側の内径が小さい部位１１２１、及び内径が小さい部位１１２１が続き外に向きに伸びて内径が徐々に大きくなる錐形状槽１１２２を具えるため、定位部品２の枢設軸２１を固定台１１の枢設槽１１２に差し込んだ時、定位部品２の枢設軸２１の環形凹溝２１１に設置した弾性部品８が枢設槽１１２の内径が小さい部位１１２１に差し込まれると、環形凹溝２１１内に向かってスムーズに内径が小さい部位１１２１を押して通過し、弾性部品８が内径が小さい部位１１２１を通過すると、弾性部品８はその弾性恢復力によって外向きに開き枢設槽１１２の錐形状槽１１２２部位(参考図六)に掛合されるため、弾性部品８によって枢設軸２１が枢設槽１１２から外れるのを防止する。また固定台１１を分離して外したい時、定位部品２を下向きに引っ張ると、弾性部品８が錐形状槽１１２２に沿って内縮し、枢設軸２１の環形凹溝２１１内にまっすぐ縮んで入った時、枢設軸２１が弾性部品８と共に固定台１１の枢設槽１１２の内径が小さい部位１１２１から外れる。
【００１６】
図七に示すとおり、前述の下ヒンジ３の固定台３１の枢設槽３１２の内側は内径が小さい部位３１２１とし、その内径が小さい部位３１２１は外向きに伸びて内径が徐々に大きくなる錐形状槽３１２２を形成する。更に定位部品２の枢設軸２１を固定台３１の枢設槽３１２に入れる時、定位部品２の枢設軸２１の環形凹溝２１１に嵌合した弾性部品８が枢設槽３１２の内径が小さい部位３１２１に挿入されると、環形凹溝２１１内に向けて押圧されスムーズに内径が小さい部位３１２１を通過する。また弾性部品８が内径が小さい部位３１２１を通過すると、弾性部品８はその弾性恢復力によって外向きに開いて枢設槽３１２の錐形状槽３１２２部位(参考図八)で停止するため、弾性部品８によって定位部品２の枢設軸２１が枢設槽３１２から外れるのを防止する。また固定台３１を外して分離したい時、定位部品２を上向きに引っ張ると、弾性部品８が錐形状槽３１２２に沿って内縮し、枢設軸２１の環形凹溝２１１内に縮んで入った時固定部品２の枢設軸２１が嵌合した弾性部品８と共に固定台３１の枢設槽３１２の内径が小さい部位３１２１から外れる。 
【００１７】
施工ユニット作業時、上ヒンジ１の固定台１１及び下ヒンジ３の固定台３１は先ず別々に壁面(図未提示)及び地面(図未提示)の預定部位に固定する。また両定位部品２の枢設軸２１はそれぞれ上、下ヒンジ１、３の回転盤１２、３２に挿入し、その枢設軸２１は直接固定台１１、３１の枢設槽１１２、３１２とスピーディ簡単に設置するため、労力と時間を省く。次に定位部品２でロック部品５とガラスドア６(参考図六)を合わせて固定連結する。当然異なる状況に依っては、両定位部品２は固定台１１１３と枢設する前に先ずロック部品５でガラスドア６と連結する。またガラスドア６を外して修理や補修を行う場合、ガラスドア６と両定位部品２を離し、次に両定位部品２をそれぞれ別に下向きと上向き力をかけると、両定位部品２と回転盤１２３２が外れる。別に下ヒンジ３の固定台３１はベアリング３１３２を設置するため、ガラスドア６の回転動作がスムーズになる。 
【００１８】
他に図一、図七に示すとおり、固定台３１の環形部３１４は、別に内ネジ孔３１４２を設置してそこに外ネジ紋を具えた弾性定位柱３１５を差し込んで止める。この弾性定位柱３１５は内槽孔３１５１を具え、そこにバネ３１５２と球体３１６を設置する。この球体３１６の上方３１６１は内槽孔３１５１の上端から出て内槽孔３１５１の上端の口径は球体３１６の直径よりやや小さいので球体３１６が落ちるのを防止する。前述の弾性定位柱３１５の上方３１５３は回転盤３２の環形部３２４に設置した湾曲溝槽３２４１内に入れ、その湾曲溝槽３２４１内には複数個の定位凹部３２４２、３２４３、３２４４(参考図七、図九)を具えて、そこに弾性定位柱３１５に設置した球体３１６の上方３１６１のうちの一つを選択して嵌入し、多段角度の定位機能(参考図四)を具える。 
【００１９】
更に前述の両固定部品２の側辺には別に定位内ネジ孔２３を設置し、それぞれ別にロック部品５の連接部５１、例としてネジ桿部でガラスドア６の後と定位部品２を固定連結する。またロック部品５とガラスドア６の間には更にパッド５２を設置し、且つガラスドア６と定位部品２の間にもパッド５３を設置する。他にガラスドア６はロック部品５の連接部５１、例としてネジ桿部を差し込んだ穿孔６１にも更に内パッド(図未提示)を設置する。 
【００２０】
別に前述の両定位部品２の各一側には平面部２０を具え、ガラスドア６としっかり固定連結する。
【実施例２】
【００２１】
図１０〜図１２に示すのは、本考案の第二実施例であり、主に前述の実施例と同じであるが、異なる箇所として両定位部品２とガラスドア６の間に複数の連接塊６３を設置し、各連接塊６３には定位孔６３１を具える。ロック部品５の連接部５１、例としてネジ桿部をガラスドア６の穿孔６１、連接塊６３の定位孔６３１に差し込むと、定位部品側辺の定位内ネジ孔２３に固定連結される。他に前述のロック部品５とガラスドア６の間、及びガラスドア６と連接塊６３の間にパッド６４、６５を設置し、ガラスドア６がロック部品５の連接部５１、例としてネジ桿部によって差し込む穿孔６１にもまた内パッド(図未提示)を設置する。更に前述の両定位部品２の一側には円柱部２４を具え、また各連接塊６３と定位部品２の接触部位には凹弧面６３０を形成してしっかりと連結しやすくする。
【実施例３】
【００２２】
他に図１３〜図１８に示すのは、本考案の第三実施例で、主に前述の第一実施例と同じであるが、上ヒンジ１の回転盤１２、下ヒンジ３の回転盤３２及び定位部品２が第一実施例とやや異なる。本実施例は下述を含む。
【００２３】
上ヒンジ１は、固定台１１と回転盤１２を具える。そのうち固定台１１は複数の定位孔１１１を具えてロック部品４で壁面(図未提示)等適する部位で固定連結する。この固定台１１はまた枢設槽１１２を具え、回転盤１２にも枢設軸１２２を具えて固定台１１の枢設槽１１２と枢設する。回転盤１２には別に定位孔１２３を設置する。
【００２４】
下ヒンジ３は、固定台３１と回転盤３２を具える。そのうち固定台３１は複数の定位孔３１４１を具えロック部品７で地面(図未提示)等適する部位と固定連結する。固定台３１は枢設槽３１２を具え、回転盤３２はまた枢設軸３２２を具えて(参考図十五)固定台３１の枢設槽３１２)と枢設する。回転盤３２は別に定位孔３２３１を設置し、別に前述の固定台３１の上方には環形槽孔３１３１を具えてベアリング３１３２を設置する。 
【００２５】
両定位部品２は、各々一側に定位孔２２(参考図十三、図十七)を設置してそれぞれロック部品２２１で上、下ヒンジ１、３の回転盤１２、３２の定位孔１２３、３２３１と固定連結する。また両定位部品２の別一側はそれぞれ定位孔２７１を具えた定位塊２７を各々ガラスドア６(参考図十六)の穿孔６１に差し込み、定位孔２５１を具えた挟持塊２５と共に複数のロック部品２６でガラスドア６の一側の上、下適する部位と固定連結する。 
【００２６】
更に前述の上、下ヒンジ１、３の回転盤１２、３２の枢設軸１２２、３２２は、それぞれが環形凹溝１２２１、３２２１を具え、各環形凹溝１２２１、３２２１に欠切槽を具えた弾性部品８を嵌合する。また前述の上、下ヒンジ１、３の固定台１１３１の枢設槽１１２、３１２は内側に内径が小さい部位１１２１、３１２１、（別に図十六参照）及び内径が小さい部位１１２１、３１２１が継続して外向きに伸び内径が大きい錐形状槽１１２２、３１２２を具える。更に上、下ヒンジ１、３の回転盤１２、３２はそれぞれ枢設軸１２２、３２２で固定台１１、３１の枢設槽１１２、３１２に枢設した時、その枢設軸１２２、３２２の環形凹溝１２２１ 、３２２１に嵌合した弾性部品８は枢設槽１１２、３１２の内径が小さい部位１１２１、３１２１に入り込んだ時に環形凹溝１２２１、３２２１内に押圧されながらスムーズに内径が小さい部位１１２１、 ３１２１を通過し、弾性部品８が内径が小さい部位１１２１、３１２１を通過した時、弾性部品８はその弾性恢復力によって外向きに開いて枢設槽１１２、３１２の錐形状槽１１２１、３１２１部位で停止し、弾性部品８が枢設軸２１と共に枢設槽１１２、３１２から外れるのを防止する。 
【図面の簡単な説明】
【００２７】
【図１】本考案の第一実施例の立体分解図である。
【図２】本考案の第一実施例の立体図である。
【図３】本考案の第一実施例其中下ヒンジの固定台と回転盤の別一角度の?体図である。
【図４】本考案の第一実施例の組立断面指示図である。
【図５】本考案の第一実施例のうち上ヒンジの固定台、回転盤と定位部品の平面分解断面指示図である。
【図６】本考案の第一実施例のうち上ヒンジの固定台、回転盤と定位部品の平面組立断面指示図である。
【図７】本考案の第一実施例のうち下ヒンジの固定台、回転盤と定位部品の平面分解断面指示図である。
【図８】本考案の第一実施例のうち下ヒンジの固定台、回転盤と定位部品の平面組立断面指示図である。
【図９】本考案の第一実施例のうち下ヒンジの回転盤の平面指示図である。
【図１０】本考案の第二実施例の立体分解図である。
【図１１】本考案の第二実施例の立体図である。
【図１２】本考案の第二実施例の組立断面図である。
【図１３】本考案の第三実施例の立体分解図である。
【図１４】本考案の第三実施例の立体図である。
【図１５】本考案の第三実施例のうち下ヒンジの固定台と回転盤の別一角?の?体図である。
【図１６】本考案の第三実施例の組立断面図である。
【図１７】本考案の第三実施例の別一角度組立断面指示図である。
【図１８】本考案の第三実施例のうち下ヒンジの固定台的平面指示図である。
【符号の説明】
【００２８】
１        上ヒンジ
１１        固定台
１１１        定位孔
１１２        枢設槽
１１２１        内径が小さい部位
１１２２        錐形状槽
１２        回転盤
１２１        枢設槽
１２２        枢設軸
１２２１        環形凹溝
１２３        定位孔
２        定位部品
２０        平面部
２１        枢設軸
２１１        環形凹溝
２２１        ロック部品
２３        定位内ネジ孔
２４        円柱部
２５        挟持塊
２５１        定位孔
２６        ロック部品
２７        定位塊
２７１        定位孔
３        下ヒンジ
３１        固定台
３１２        枢設槽
３１２１        内径が小さい部位
３１２２        錐形状槽
３１３        環形塊
３１３１        環形槽孔
３１３２        ベアリング
３１４        環形部
３１４１        定位孔
３１４２        定位凹部
３１４３        定位凹部
３１４４        定位凹部
３１５        弾性定位柱
３１５１        内槽孔
３１５２        バネ
３１５３        上方
３１６        球体
３１６１        上方
３２        回転盤
３２１        枢設槽
３２２        枢設軸
３２２１        環形凹溝
３２３        凹槽
３２３１        定位孔
３２４        環形部
３２４１        湾曲溝槽
４        ロック部品
５        ロック部品
５１        連接部
５２        パッド
５３        パッド
６        ガラスドア
６１        穿孔
６３        連接塊
６３０        凹弧面
６３１        定位孔
６４        パッド
６５        パッド
７        ロック部品
８        弾性部品
【図１】
0003140814.tif 000003
【図２】
0003140814.tif 000004
【図３】
0003140814.tif 000005
【図４】
0003140814.tif 000006
【図５】
0003140814.tif 000007
【図６】
0003140814.tif 000008
【図７】
0003140814.tif 000009
【図８】
0003140814.tif 000010
【図９】
0003140814.tif 000011
【図１０】
0003140814.tif 000012
【図１１】
0003140814.tif 000013
【図１２】
0003140814.tif 000014
【図１３】
0003140814.tif 000015
【図１４】
0003140814.tif 000016
【図１５】
0003140814.tif 000017
【図１６】
0003140814.tif 000018
【図１７】
0003140814.tif 000019
【図１８】
0003140814.tif 000020